(57)【要約】【課題】表示された文字情報の中から選択された任意の検索対象文字列に対応する情報を、従来にない新たな方法でユーザに提示することができる電子辞書装置を提供すること。【解決手段】ユーザ操作により検索対象文字列が指定されると、ＣＰＵ２１は、サブ画面を表示させて、検索対象文字列に対応する見出し語を第１辞書データの見出し語の中から検索し、検索された見出し語に対応する第１情報をサブ画面の第１エリア内に表示させる。サブ画面の第２エリア内のジャンプアイコンに対してユーザの操作が行われると、ＣＰＵ２１は、前記検索対象文字列に対応する見出し語を第２辞書データの見出し語の中から検索し、検索された見出し語のリストまたは当該検索された見出し語に対応する第２情報をメイン画面内に表示させる。【選択図】      図２
2020057213.tif 000002
【特許請求の範囲】
【請求項１】
文字情報を表示するためのメイン画面を表示する表示部と、
見出し語と当該見出し語に関する第１情報とを対応付けて集録した第１辞書データと、前記見出し語と同一の見出し語と当該見出し語に関する前記第１情報とは異なる第２情報とを対応付けて集録した第２辞書データと、を記憶する辞書記憶部と、
ユーザ操作に応じて検索対象文字列を指定する検索文字列指定手段と、
前記検索文字列指定手段によって前記検索対象文字列が指定されたとき、前記第１辞書データで検索された前記第１情報を表示するための第１エリアと、少なくとも前記第２辞書データからの検索を指定するためのアイコンであるジャンプアイコンを表示するための第２エリアと、を含むサブ画面を表示させるサブ画面表示手段と、
前記検索文字列指定手段によって前記検索対象文字列が指定されたとき、当該検索対象文字列に対応する見出し語を、前記第１辞書データの見出し語の中から検索し、当該検索された見出し語に対応する前記第１情報を、前記サブ画面の前記第１エリア内に表示させる第１表示制御手段と、
前記サブ画面の前記第２エリア内に表示した前記ジャンプアイコンに対してユーザの操作が行われたとき、前記検索文字列指定手段によって指定されている前記検索対象文字列に対応する見出し語を、前記第２辞書データの見出し語の中から検索し、当該検索された見出し語のリストまたは当該検索された見出し語に対応する前記第２情報を前記メイン画面内に表示させる第２表示制御手段と、
を備える電子辞書装置。
【請求項２】
前記サブ画面表示手段は、前記サブ画面を、前記メイン画面上に重畳表示させる、
請求項１に記載の電子辞書装置。
【請求項３】
前記第２辞書データは、前記第２情報として、前記見出し語の説明情報を集録した通常辞書データであり、
前記第１辞書データは、前記第１情報として、前記見出し語の前記第２情報よりも簡約化した説明情報を集録した簡易辞書データであり、
前記辞書記憶部は、
前記第２辞書データに加えて、前記通常辞書データであって、前記第２辞書データとは異なる第３辞書データを含む複数の通常辞書データと、
前記第１辞書データを含む、前記複数の通常辞書データそれぞれに対応した複数の簡易辞書データと、
を記憶し、
前記第１表示制御手段は、前記検索文字列指定手段によって前記検索対象文字列が指定されたとき、当該検索対象文字列に対応する見出し語を、前記辞書記憶部に記憶された前記複数の簡易辞書データの内の一つの簡易辞書データの見出し語の中から検索し、当該検索された見出し語に対応する前記簡約化した説明情報を、前記サブ画面の前記第１エリア内に表示させ、
前記第２表示制御手段は、前記サブ画面の前記第２エリア内に表示した前記ジャンプアイコンに対して前記ユーザの操作が行われたとき、前記検索文字列指定手段によって指定されている前記検索対象文字列に対応する見出し語を、前記辞書記憶部に記憶された全ての通常辞書データの見出し語の中から検索し、当該検索された見出し語のリストまたは当該検索された見出し語に対応する前記説明情報を前記メイン画面内に表示させる、
請求項１または２に記載の電子辞書装置。
【請求項４】
前記表示部は、表示画面上にタッチパネルが配置され、
前記検索文字列指定手段は、前記メイン画面内に表示された文字情報の中から、ユーザのタッチ操作に応じて前記検索対象文字列を指定し、
前記第２表示制御手段は、前記ジャンプアイコンに対して前記ユーザのタッチ操作が行われたとき、前記検索文字列指定手段によって指定されている前記検索対象文字列に対応する見出し語を、前記第２辞書データの見出し語の中から検索し、当該検索された見出し語のリストまたは当該検索された見出し語に対応する前記第２情報を前記メイン画面内に表示させる、
請求項１乃至３のいずれか一項に記載の電子辞書装置。
【請求項５】
前記サブ画面の前記第２エリア内に表示した前記ジャンプアイコンに対して前記ユーザの操作が行われたとき、前記検索文字列指定手段によって指定されている前記検索対象文字列に対応する見出し語を、前記辞書記憶部に記憶された前記複数の通常辞書データの内の、一つの通常辞書データの見出し語の中から検索し、当該検索された見出し語のリストまたは当該検索された見出し語に対応する前記説明情報を前記メイン画面内に表示させる第３表示制御手段を更に備える、
請求項３に記載の電子辞書装置。
【請求項６】
前記第２表示制御手段は、
前記検索された見出し語のリストまたは当該検索された見出し語に対応する前記説明情報を表示した前記メイン画面に、前記第３表示制御手段による表示に切り替えるための切り替えアイコンを表示させ、
前記切り替えアイコンに対する前記ユーザの操作に応じて、前記第３表示制御手段に、前記検索文字列指定手段によって指定されている前記検索対象文字列に対応する見出し語を、前記一つの通常辞書データの見出し語の中から検索し、当該検索された見出し語のリストまたは当該検索された見出し語に対応する前記説明情報を前記メイン画面内に表示させる指示を行う、
請求項５に記載の電子辞書装置。
【請求項７】
前記第３表示制御手段は、
前記検索された見出し語のリストまたは当該検索された見出し語に対応する前記説明情報を表示した前記メイン画面に、前記第２表示制御手段による表示に切り替えるための切り替えアイコンを表示させ、
前記切り替えアイコンに対する前記ユーザの操作に応じて、前記第２表示制御手段に、前記検索文字列指定手段によって指定されている前記検索対象文字列に対応する見出し語を、前記全ての通常辞書データの見出し語の中から検索し、当該検索された見出し語のリストまたは当該検索された見出し語に対応する前記説明情報を前記メイン画面内に表示させる指示を行う、
請求項５又は６に記載の電子辞書装置。
【請求項８】
前記第２表示制御手段及び前記第３表示制御手段による検索結果を記憶する検索結果記憶手段を更に備え、
前記第２表示制御手段は、前記第３表示制御手段からの指示に応じて検索を実施する際、前記検索結果記憶手段に既に前記検索対象文字列による検索結果が記憶されているとき、その検索結果を用いて、検索された見出し語のリストまたは当該検索された見出し語に対応する前記説明情報を前記メイン画面内に表示させ、
前記第３表示制御手段は、前記第２表示制御手段からの指示に応じて検索を実施する際、前記検索結果記憶手段に既に前記検索対象文字列による検索結果が記憶されているとき、その検索結果を用いて、検索された見出し語のリストまたは当該検索された見出し語に対応する前記説明情報を前記メイン画面内に表示させる、
請求項７に記載の電子辞書装置。
【請求項９】
前記第２表示制御手段及び前記第３表示制御手段のいずれを最終的に使用したかを示す前回選択ジャンプリスト情報を記憶する前回選択ジャンプリスト報記憶手段と、
前記サブ画面の前記第２エリア内に表示した前記ジャンプアイコンに対して前記ユーザの操作が行われたとき、前記前回選択ジャンプリスト報記憶手段に記憶されている前記前回選択ジャンプリスト情報に基づいて、前記第２表示制御手段及び前記第３表示制御手段のいずれを使用するかを決定する決定手段と、
を更に備える、
請求項７に記載の電子辞書装置。
【請求項１０】
前記第３表示制御手段は、
前記一つの通常辞書データから検索された見出し語のリストまたは当該検索された見出し語に対応する前記説明情報を表示した前記メイン画面に、前記検索を行うべき一つの通常辞書データを選択するための複数の辞書名タブアイコンを表示させ、
前記複数の辞書名タブアイコンの一つに対する前記ユーザの選択操作に応じて、選択された辞書名タブアイコンに対応する一つの通常辞書データから前記見出し語を検索する、
請求項５に記載の電子辞書装置。
【請求項１１】
前記選択された辞書名タブアイコンに対応する一つの通常辞書データが何れであるかを示す前回選択辞書情報を記憶する前回選択辞書報記憶手段を更に備え、
前記第３表示制御手段は、前記ジャンプアイコンに対する前記ユーザの操作に応じた検索を前記一つの通常辞書データから行うとき、前記前回選択辞書情報で示される通常辞書データから前記見出し語を検索する、
請求項１０に記載の電子辞書装置。
【請求項１２】
前記第２辞書データは、前記第２情報として、前記見出し語の説明情報を集録した通常辞書データであり、
前記辞書記憶部は、前記第２辞書データに加えて、前記通常辞書データであって、前記第２辞書データとは異なる第３辞書データを含む複数の通常辞書データを記憶し、
前記電子辞書装置は、ユーザ操作に応じて入力された検索対象文字列に対応する見出し語を、前記辞書記憶部に記憶された前記複数の通常辞書データの内の、ユーザ操作に応じて指定された通常辞書データの見出し語の中から検索し、当該検索された見出し語に対応する説明情報を、前記メイン画面内に表示させる第４表示制御手段を更に備え、
前記第１表示制御手段は、前記ユーザ操作に応じて指定された通常辞書データに対応する簡易辞書データの見出し語の中から、前記検索対象文字列に対応する見出し語を検索する、
請求項１に記載の電子辞書装置。
【請求項１３】
文字情報を表示するためのメイン画面を表示する表示部と、見出し語と当該見出し語に関する第１情報とを対応付けて集録した第１辞書データと、前記見出し語と同一の見出し語と当該見出し語に関する前記第１情報とは異なる第２情報とを対応付けて集録した第２辞書データと、を記憶する辞書記憶部と、を備えた電子辞書の制御部により、
ユーザ操作に応じて検索対象文字列を指定し、
前記検索対象文字列が指定されたとき、前記第１辞書データで検索された前記第１情報を表示するための第１エリアと、少なくとも前記第２辞書データからの検索を指定するためのアイコンであるジャンプアイコンを表示するための第２エリアと、を含むサブ画面を表示させ、
前記検索対象文字列が指定されたとき、当該検索対象文字列に対応する見出し語を、前記第１辞書データの見出し語の中から検索し、当該検索された見出し語に対応する前記第１情報を、前記サブ画面の前記第１エリア内に表示させ、
前記サブ画面の前記第２エリア内に表示した前記ジャンプアイコンに対してユーザの操作が行われたとき、前記指定されている前記検索対象文字列に対応する見出し語を、前記第２辞書データの見出し語の中から検索し、当該検索された見出し語のリストまたは当該検索された見出し語に対応する前記第２情報を前記メイン画面内に表示させる、
電子辞書の検索方法。
【請求項１４】
文字情報を表示するためのメイン画面を表示する表示部と、見出し語と当該見出し語に関する第１情報とを対応付けて集録した第１辞書データと、前記見出し語と同一の見出し語と当該見出し語に関する前記第１情報とは異なる第２情報とを対応付けて集録した第２辞書データと、を記憶する辞書記憶部と、を備えた電子辞書のコンピュータを、
ユーザ操作に応じて検索対象文字列を指定する検索文字列指定手段、
前記検索文字列指定手段によって前記検索対象文字列が指定されたとき、前記第１辞書データで検索された前記第１情報を表示するための第１エリアと、少なくとも前記第２辞書データからの検索を指定するためのアイコンであるジャンプアイコンを表示するための第２エリアと、を含むサブ画面を表示させるサブ画面表示手段、
前記検索文字列指定手段によって前記検索対象文字列が指定されたとき、当該検索対象文字列に対応する見出し語を、前記第１辞書データの見出し語の中から検索し、当該検索された見出し語に対応する前記第１情報を、前記サブ画面の前記第１エリア内に表示させる第１表示制御手段、
前記サブ画面の前記第２エリア内に表示した前記ジャンプアイコンに対してユーザの操作が行われたとき、前記検索文字列指定手段によって指定されている前記検索対象文字列に対応する見出し語を、前記第２辞書データの見出し語の中から検索し、当該検索された見出し語のリストまたは当該検索された見出し語に対応する前記第２情報を前記メイン画面内に表示させる第２表示制御手段、
として機能させるためのコンピュータ読み込み可能な制御プログラム。
【発明の詳細な説明】
【技術分野】
【０００１】
本発明は、電子辞書装置、電子辞書の検索方法及びその制御プログラムに関する。
【背景技術】
【０００２】
一般に、単語などの言葉の意味や内容を調べる携帯型の電子辞書装置が利用されている。前記電子辞書装置は、英和辞書や国語辞書などの各種辞書の辞書データベースを有し、文字入力キーの操作により入力された単語などの検索語句に対応した前記辞書の見出し語を検索し、当該検索された見出し語（単語）に対応付けられた意味などの説明情報を表示させるものである。
【０００３】
また、こうして表示された説明情報の中から任意の文字列を選択することで、その選択された文字列を新たな検索語句として前記辞書の見出し語を検索できるジャンプ検索機能を備えた電子辞書装置も知られている。
【先行技術文献】
【特許文献】
【０００４】
【特許文献１】特開２００６−２２８０４５号公報
【発明の概要】
【発明が解決しようとする課題】
【０００５】
本発明は、画面内に表示された文字情報の中から選択された任意の検索対象文字列に対応する情報を、従来にない新たな方法でユーザに提示することができる電子辞書装置、電子辞書の検索方法及び制御プログラムを提供することを目的とする。
【課題を解決するための手段】
【０００６】
本発明に係る電子辞書装置は、文字情報を表示するためのメイン画面を表示する表示部と、見出し語と当該見出し語に関する第１情報とを対応付けて集録した第１辞書データと、前記見出し語と同一の見出し語と当該見出し語に関する前記第１情報とは異なる第２情報とを対応付けて集録した第２辞書データと、を記憶する辞書記憶部と、ユーザ操作に応じて検索対象文字列を指定する検索文字列指定手段と、前記検索文字列指定手段によって前記検索対象文字列が指定されたとき、前記第１辞書データで検索された前記第１情報を表示するための第１エリアと、少なくとも前記第２辞書データからの検索を指定するためのアイコンであるジャンプアイコンを表示するための第２エリアと、を含むサブ画面を表示させるサブ画面表示手段と、前記検索文字列指定手段によって前記検索対象文字列が指定されたとき、当該検索対象文字列に対応する見出し語を、前記第１辞書データの見出し語の中から検索し、当該検索された見出し語に対応する前記第１情報を、前記サブ画面の前記第１エリア内に表示させる第１表示制御手段と、前記サブ画面の前記第２エリア内に表示した前記ジャンプアイコンに対してユーザの操作が行われたとき、前記検索文字列指定手段によって指定されている前記検索対象文字列に対応する見出し語を、前記第２辞書データの見出し語の中から検索し、当該検索された見出し語のリストまたは当該検索された見出し語に対応する前記第２情報を前記メイン画面内に表示させる第２表示制御手段と、を備えている。
【０００７】
本発明に係る電子辞書の検索方法は、文字情報を表示するためのメイン画面を表示する表示部と、見出し語と当該見出し語に関する第１情報とを対応付けて集録した第１辞書データと、前記見出し語と同一の見出し語と当該見出し語に関する前記第１情報とは異なる第２情報とを対応付けて集録した第２辞書データと、を記憶する辞書記憶部と、を備えた電子辞書の制御部により、ユーザ操作に応じて検索対象文字列を指定し、前記検索対象文字列が指定されたとき、前記第１辞書データで検索された前記第１情報を表示するための第１エリアと、少なくとも前記第２辞書データからの検索を指定するためのアイコンであるジャンプアイコンを表示するための第２エリアと、を含むサブ画面を表示させ、前記検索対象文字列が指定されたとき、当該検索対象文字列に対応する見出し語を、前記第１辞書データの見出し語の中から検索し、当該検索された見出し語に対応する前記第１情報を、前記サブ画面の前記第１エリア内に表示させ、前記サブ画面の前記第２エリア内に表示した前記ジャンプアイコンに対してユーザの操作が行われたとき、前記指定されている前記検索対象文字列に対応する見出し語を、前記第２辞書データの見出し語の中から検索し、当該検索された見出し語のリストまたは当該検索された見出し語に対応する前記第２情報を前記メイン画面内に表示させる。
【０００８】
本発明に係る制御プログラムは、文字情報を表示するためのメイン画面を表示する表示部と、見出し語と当該見出し語に関する第１情報とを対応付けて集録した第１辞書データと、前記見出し語と同一の見出し語と当該見出し語に関する前記第１情報とは異なる第２情報とを対応付けて集録した第２辞書データと、を記憶する辞書記憶部と、を備えた電子辞書のコンピュータを、ユーザ操作に応じて検索対象文字列を指定する検索文字列指定手段、前記検索文字列指定手段によって前記検索対象文字列が指定されたとき、前記第１辞書データで検索された前記第１情報を表示するための第１エリアと、少なくとも前記第２辞書データからの検索を指定するためのアイコンであるジャンプアイコンを表示するための第２エリアと、を含むサブ画面を表示させるサブ画面表示手段、前記検索文字列指定手段によって前記検索対象文字列が指定されたとき、当該検索対象文字列に対応する見出し語を、前記第１辞書データの見出し語の中から検索し、当該検索された見出し語に対応する前記第１情報を、前記サブ画面の前記第１エリア内に表示させる第１表示制御手段、前記サブ画面の前記第２エリア内に表示した前記ジャンプアイコンに対してユーザの操作が行われたとき、前記検索文字列指定手段によって指定されている前記検索対象文字列に対応する見出し語を、前記第２辞書データの見出し語の中から検索し、当該検索された見出し語のリストまたは当該検索された見出し語に対応する前記第２情報を前記メイン画面内に表示させる第２表示制御手段、として機能させるためのコンピュータ読み込み可能な制御プログラムである。
【図面の簡単な説明】
【０００９】
【図１】本発明の実施形態に係る電子辞書装置の外観構成を示す正面図である。
【図２】電子辞書装置の電子回路の構成を示すブロック図である。
【図３Ａ】電子辞書装置の情報表示処理を示すフローチャートの前半部分を示す図である。
【図３Ｂ】電子辞書装置の情報表示処理を示すフローチャートの後半部分を示す図である。
【図４Ａ】電子辞書装置の情報表示処理に従い、メイン画面に表示された説明情報表示画面から任意の文字列を選択する際の表示動作の一例を示す図である。
【図４Ｂ】電子辞書装置の情報表示処理に従い、サブ画面のメニュー選択エリアの［見出し語］キーを選択する際の表示動作の一例を示す図である。
【図４Ｃ】電子辞書装置の情報表示処理に従い、［見出し語］キー選択時に前回選択ジャンプリスト情報が一括表示であった際の表示動作の一例を示す図である。
【図４Ｄ】電子辞書装置の情報表示処理に従い、［見出し語］キー選択時に前回選択ジャンプリスト情報が辞書別表示であった際の表示動作の一例を示す図である。
【発明を実施するための形態】
【００１０】
以下図面により本発明の実施の形態について説明する。
【００１１】
図１は、本発明の実施形態に係る電子辞書装置１０の外観構成を示す正面図である。
【００１２】
電子辞書装置は、以下に説明する学習支援専用の電子辞書装置１０として構成されるだけでなく、学習支援機能を備えたタブレット型のＰＤＡ(personal digital assistants)、ＰＣ(personal computer)、携帯電話、電子ブック、携帯ゲーム機などとしても構成され得る。
【００１３】
電子辞書装置１０は、その本体ケース１１と蓋体ケース１２とがヒンジ部１３を介して展開／閉塞可能な折り畳み型ケースを備えて構成される。前記折り畳み型ケースを展開した本体ケース１１の表面には、［ホーム］キー１４ａ、機能指定キー１４ｂ、文字入力キー１４ｃ、［決定］キー１４ｄ、［戻る］キー１４ｅ、カーソルキー１４ｆ、［シフト］キー１４ｇなどを含むキー入力部（キーボード）１４、音声出力部（スピーカを含む）１５、及び音声入力部（マイクを含む）１６が設けられる。
【００１４】
また、前記蓋体ケース１２の表面には、タッチパネル式表示部１７が設けられる。前記タッチパネル式表示部１７は、ユーザがペンや指などでタッチした位置を検出するタッチ位置検出装置と表示装置が一体となった構造であり、バックライト付きのカラー液晶表示画面に透明タッチパネルを重ねて構成される。
【００１５】
そして、前記タッチパネル式表示部１７の右端には、前記キー入力部１４における一部のキーの押下操作や本電子辞書装置１０の一部の機能の指定操作を、タッチ操作により行うためのキーや機能の表記（［ホーム］、［トレジム］、［戻る］、［機能メニュー］）が固定印刷されたタッチキーエリア１７Ａが設けられる。
【００１６】
前記キー入力部１４の［ホーム］キー１４ａは、前記表示部１７にホーム画面を表示させるためのキーである。特に図示はされないが、前記ホーム画面には、本電子辞書装置１０の初期設定あるいはユーザ操作に応じて登録された複数のアイコンが表示される。各アイコンは、当該アイコンの表記に対応する機能を起動させるための図形や記号などである。ホーム画面には、例えば、辞書コンテンツを利用する機能（アプリケーション）を直接起動させるアプリケーションアイコンや、一つのカテゴリに属する複数の機能のアイコン一覧画面を表示させるグループアイコンを含む。
【００１７】
前記キー入力部１４の機能指定キー１４ｂは、各キーに表記されている辞書コンテンツ（［大辞典］など）、辞書コンテンツのカテゴリ（［国語］、［古語］、［漢和］、［英和］など）、［コンテンツ一覧］やツールの一つのカテゴリ［学習帳］を、それぞれ直接指定するためのキーである。
【００１８】
また、前記キー入力部１４のキーは、［シフト］キー１４ｇが操作された後に続けて操作されることで、そのキートップに枠囲み無しで記載されたキー機能ではなく、枠囲みして記載されたキーとして機能できるようになっている。例えば、［シフト］キー１４ｇの操作後に［Ｋ］キーが操作されると、［Ｋ］入力キーではなく［？］入力キーとなる。
【００１９】
図２は、前記電子辞書装置１０の電子回路の構成を示すブロック図である。
【００２０】
電子辞書装置１０の電子回路は、コンピュータであるＣＰＵ２１を備える。前記ＣＰＵ２１は、フラッシュＲＯＭなどの記憶部２２に予め記憶された制御プログラムに従って回路各部の動作を制御する。なお、制御プログラムは、メモリカードなどの外部記録媒体２３から記録媒体読取部２４により読み取られて前記記憶部２２に記憶されても良いし、通信ネットワークＮ上のＷｅｂサーバ（ここではプログラムサーバ）３０から通信部２５を介してダウンロードされ前記記憶部２２に記憶されても良い。
【００２１】
前記ＣＰＵ２１には、データ及び制御バスを介して、前記記憶部２２、記録媒体読取部２４、通信部２５を接続するほか、前記キー入力部１４、音声出力部１５、音声入力部１６、タッチパネル式表示部１７、を接続する。
【００２２】
前記記憶部２２は、前記制御プログラムを記憶する制御プログラム記憶部２２ａのほか、通常辞書コンテンツデータ記憶部２２ｂ、簡易辞書コンテンツデータ記憶部２２ｃ、ツールデータ記憶部２２ｄ、表示データ記憶部２２ｅ、検索結果記憶部２２ｆ、前回選択ジャンプリスト情報記憶部２２ｇ、及び前回選択辞書情報記憶部２２ｈなどを含む。
【００２３】
前記制御プログラム記憶部２２ａは、本電子辞書装置１０の全体の動作を司るシステムプログラム、前記通信部２５を介して外部の電子機器と通信接続するためのプログラム、及び、前記各記憶部２２ｂ、２２ｃ、２２ｄ、２２ｅ、２２ｆ、２２ｇ、２２ｈに記憶されている種々のデータを使って、各コンテンツやツールに対応する種々の機能を実行するためのプログラムなどを含む。
【００２４】
前記通常辞書コンテンツデータ記憶部２２ｂは、辞書のカテゴリ毎に、複数種類の辞書コンテンツを含む通常辞書コンテンツデータ（国語系）２２ｂ１、通常辞書コンテンツデータ（英語系）２２ｂ２、などを該当するコンテンツを利用するアプリケーションとして記憶する。前記通常辞書コンテンツデータ（国語系）２２ｂ１は、漢字／かなの見出し語に対応付けて日本語の説明情報が記述された［国語辞書］、漢字の見出し語に対応付けて日本語の説明情報が記述された［漢和辞書］、漢字／かな／アルファベットの見出し語に対応付けて日本語の説明情報が記述された［百科辞典］、かなの見出し語に対応付けて日本語の説明情報が記述された［カタカナ語辞書］などのデータが含まれる。前記通常辞書コンテンツデータ（英語系）２２ｂ２は、アルファベットの見出し語に対応付けて日本語の説明情報が記述された［英和辞書］、アルファベットの見出し語に対応付けて英語の説明情報が記述された［英英辞書］、漢字／かなの見出し語に対応付けて英語の説明情報が記述された［和英辞書］などのデータが含まれる。
【００２５】
前記簡易辞書コンテンツデータ記憶部２２ｃは、辞書のカテゴリ毎に、複数種類の簡易辞書コンテンツを含む簡易辞書コンテンツデータ（国語系）２２ｃ１、簡易辞書コンテンツデータ（英語系）２２ｃ２、などを該当するコンテンツを利用するアプリケーションとして記憶する。前記簡易辞書コンテンツデータ（国語系）２２ｃ１は、前記［国語辞書］に記述された説明情報に含まれる括弧内の情報などを省略し主要な情報のみに簡約化した［国語ミニ辞書］、［漢和ミニ辞書］、［百科ミニ辞典］、［カタカナ語ミニ辞書］などのデータを含む。前記簡易辞書コンテンツデータ（英語系）２２ｃ２は、前記［英和辞書］に記述された説明情報に含まれる括弧内の情報などを省略し主要な情報のみに簡約化した［英和ミニ辞書］、［英英ミニ辞書］、［和英ミニ辞書］などのデータが含まれる。
【００２６】
前記ツールデータ記憶部２２ｄは、ツールの中のカテゴリ別に、複数種類の学習支援機能を含む［ＥＮＧＬＩＳＨ  ＬＥＳＳＯＮ］データ、［学習帳］データ、などを記憶する。［ＥＮＧＬＩＳＨ  ＬＥＳＳＯＮ］データは、リスニングやスピーキングなどの英語学習支援機能に使用するデータであり、［学習帳］データは、使用者が辞書の記述にマーカーを引いたり注釈を書き込んだりした際のデータである。
【００２７】
前記表示データ記憶部２２ｅは、本電子辞書装置１０の動作に応じて前記ＣＰＵ２１がタッチパネル式表示部１７に表示させる、例えばビットマップ形式の画像データを記憶する。
【００２８】
前記検索結果記憶部２２ｆは、通常辞書コンテンツデータ記憶部２２ｂに記憶された通常辞書から検索対象文字列に対応する見出し語を検索した検索結果を記憶する。
【００２９】
前記前回選択ジャンプリスト情報記憶部２２ｇは、前回の選択ジャンプ機能実行時に、最終的に利用したリスト表示が一括リスト表示であったのか、辞書別リスト表示であったのかを示す前回選択ジャンプリスト情報を記憶する。
【００３０】
前記前回選択辞書情報記憶部２２ｈは、前回の選択ジャンプ機能実行時に辞書別表示が行われたとき、最終的にどの辞書コンテンツが使用されたのかを示す前回選択辞書情報を記憶する。
【００３１】
このように構成された電子辞書装置１０は、前記ＣＰＵ２１が、前記制御プログラム記憶部２２ａに記述された命令に従い回路各部の動作を制御し、ソフトウエアとハードウエアとが協働して動作することにより、以下の動作説明で述べるような制御機能を実現する。
【００３２】
次に、前記構成の電子辞書装置１０の動作について説明する。
【００３３】
図３Ａ及び図３Ｂは、電子辞書装置の情報表示処理を示す一連のフローチャートを示す図である。
【００３４】
まず、キー入力部１４の機能指定キー１４ｂのユーザ操作に応じて辞書が選択されると、ＣＰＵ２１は、記憶部２２の通常辞書コンテンツデータから選択された通常辞書を起動すると共に、表示部１７の表示画面に、当該通常辞書の検索語句入力画面（図示せず）を表示する。ＣＰＵ２１は、この検索語句入力画面にて、キー入力部１４の文字入力キー１４ｃのユーザ操作に応じて入力された検索語句を表示する（ステップＳ１１）。その後、キー入力部１４の［決定］キー１４ｄのユーザ操作に応じて、ＣＰＵ２１は、この入力された検索語句に対応する見出し語を前記選択された通常辞書から検索し、検索された見出し語の説明情報を読み出して、記憶部２２の検索結果記憶部２２ｆに記憶する。そして、ＣＰＵ２１は、この記憶した説明情報に基づく画像データを作成して、表示データ記憶部２２ｅに記憶させることで、当該説明情報を表示部１７のメイン画面に表示させる（ステップＳ１２）。
【００３５】
図４Ａは、例えば［英和辞書］が選択されて英単語「establish」が検索語句として入力された場合の表示例を示している。表示部１７は、前述したタッチキーエリア１７Ａと情報を表示するためのメイン画面エリア１７Ｂとを含む。検索されて読み出された説明情報は、メイン画面エリア１７Ｂに説明情報表示画面１７１として表示される。
【００３６】
この説明情報表示画面１７１において、ユーザＵのタッチ操作により、表示されている説明情報の内の任意の文字列が選択されると、ＣＰＵ２１は、そのタッチ位置に基づいて、ユーザＵによって選択された文字列を判別する（ステップＳ１３）。ユーザＵのタッチ操作による文字列の選択は、一箇所の所定時間以上の継続タッチ、所謂長押し操作で良い。ＣＰＵ２１は、タッチ位置から、当該タッチ位置に対応する説明情報の文字を含む文字列の区切りを判断して、選択された文字列を特定する。これは、例えば、図示しない単語辞書を参照して判断したり、漢字やひらがなといった文字種の同異により判断したり、スペースや句読点などによって判断したりする等、様々な手法により実現することができる。また、文字列をなぞるタッチ操作によって選択するように構成することもできる。この場合は、タッチ操作の開始位置と終了位置とから、文字列の範囲を容易に特定することができる。
【００３７】
このようにしてユーザＵによって文字列が選択されると、ＣＰＵ２１は、図４Ｂに示すように、選択された文字列を検索対象文字列として反転表示などの指定表示ＨＬする。た、これと共に、ＣＰＵ２１は、サブ画面の画像データを記憶部２２の表示データ記憶部２２ｅに書き込むことで、メイン画面エリア１７Ｂの説明情報表示画面１７１上に、サブ画面１７２を表示する（ステップＳ１４）。サブ画面１７２は、記憶部２２の簡易辞書コンテンツデータ記憶部２２ｃから検索された説明情報を表示するための第１エリアである簡易辞書エリア１７２Ａと、各種メニューアイコンを表示する第２エリアであるメニュー選択エリア１７２Ｂとを含む。メニュー選択エリア１７２Ｂは、メニューアイコンとして、［候補］アイコン１７２Ｂ１、［見出し語］アイコン１７２Ｂ２、［例文］アイコン１７２Ｂ３、［成句］アイコン１７２Ｂ４、［音声］アイコン１７２Ｂ５、［マーカー］アイコン１７２Ｂ６、［教科書体］アイコン１７２Ｂ７、［Ｘ］（閉じる）アイコン１７２Ｂ８を含み得る。これらメニューアイコンは、その時々の状況に応じて、選択可能なもののみが表示される。図４Ｂの例では、［教科書体］アイコン１７２Ｂ７は非アクティブ状態で選択不可となっており、この状態を図では破線で示している。
【００３８】
また、ユーザＵによって文字列が選択されると、ＣＰＵ２１は、記憶部２２の簡易辞書コンテンツデータ記憶部２２ｃの内の、上記ステップＳ１１で選択された通常辞書に対応する簡易辞書から、その選択された文字列である検索対象文字列に対応する見出し語を検索し、検索対象文字列が簡易辞書の見出し語にヒットするか否か判断する（ステップＳ１５）。すなわち、文字列の選択操作が行われると、ＣＰＵ２１は、何ら他のキー操作などのユーザ指示が無くても、簡易辞書の検索を開始する。
【００３９】
ここで、ヒットした見出し語が存在したと判断したならば（ステップＳ１５のＹＥＳ）、ＣＰＵ２１は、その見出し語の簡易説明情報を読み出して、記憶部２２の検索結果記憶部２２ｆに記憶する。そして、ＣＰＵ２１は、この記憶した簡易説明情報に基づく画像データを作成して、表示データ記憶部２２ｅに記憶されている画像データをこの作成した画像データに書き換えることで、図４Ｂに示すように、当該簡易説明情報を表示部１７のサブ画面１７２の簡易辞書エリア１７２Ａ内に表示させる（ステップＳ１６）。なお、このサブ画面１７２の簡易辞書エリア１７２Ａ内の簡易説明情報は、カーソルキー１４ｆの上下キー操作によりスクロールすることができる。
【００４０】
これに対して、ヒットした見出し語が存在しないと判断した場合には（ステップＳ１５のＮＯ）、ＣＰＵ２１は、表示データ記憶部２２ｅに記憶されている画像データを該当無しメッセージの画像データに書き換えることで、当該メッセージを表示部１７のサブ画面１７２の簡易辞書エリア１７２Ａ内に表示させる（ステップＳ１７）。
【００４１】
前記ステップＳ１６またはステップＳ１７のサブ画面１７２の簡易辞書エリア１７２Ａへの表示を行った後、ＣＰＵ２１は、ユーザＵのタッチ操作により、表示部１７のサブ画面１７２のメニュー選択エリア１７２Ｂの［見出し語］アイコン１７２Ｂ２が選択されたか否かを判断する（ステップＳ１８）。なお、メニューアイコンは、タッチ操作ではなく、カーソルキー１４ｆの左右キーと［決定］キー１４ｄの操作によっても選択可能である。
【００４２】
ここで、［見出し語］アイコン１７２Ｂ２が選択されたと判断したならば（ステップＳ１８のＹＥＳ）、ＣＰＵ２１は、記憶部２２の前回選択ジャンプリスト情報記憶部２２ｇに記憶されている前回選択ジャンプリスト情報が、前回の選択ジャンプ機能実行時に、最終的に利用したリスト表示が一括リスト表示であったことを示す一括表示であるか否かを判断する（ステップＳ１９）。なお、前回選択ジャンプリスト情報は、当該電子辞書装置１０の工場出荷時のデフォルトとして、一括表示が前回選択ジャンプリスト情報記憶部２２ｇに記憶されている。
【００４３】
前回選択ジャンプリスト情報が一括表示であると判断した場合（ステップＳ１９のＹＥＳ）、ＣＰＵ２１は、前記検索対象文字列によって既に全ての通常辞書に対する完全一致検索が実行済みであるか否かを判断する（ステップＳ２０）。この判断は、記憶部２２の検索結果記憶部２２ｆの記憶内容から判断するようにしても良いし、ＣＰＵ２１の内部又は記憶部２２にフラグを設けて、検索を実施した際にフラグを立てるように構成して、このフラグの状態により判断するものとしても良い。ここで、既に全ての通常辞書に対する完全一致検索が実行済みであると判断したならば（ステップＳ２０のＹＥＳ）、ＣＰＵ２１は、処理を後述するステップＳ２２に進める。
【００４４】
未だ前記検索対象文字列によって全ての通常辞書に対する完全一致検索が行われていないと判断しならば（ステップＳ２０のＮＯ）、ＣＰＵ２１は、検索対象文字列と完全一致する見出し語を、記憶部２２の通常辞書コンテンツデータ記憶部２２ｂの全ての辞書から検索し、検索された見出し語の説明情報を読み出して、記憶部２２の検索結果記憶部２２ｆに記憶する（ステップＳ２１）。
【００４５】
そして、ＣＰＵ２１は、検索結果記憶部２２ｆに記憶した検索結果に基づいて、その検索結果を表す一括リストの画像データを作成して、表示データ記憶部２２ｅに記憶させることで、図４Ｃに示すような一括リスト表示画面１７３を表示部１７のメイン画面エリア１７Ｂに表示させる（ステップＳ２２）。一括リスト表示画面１７３は、タイトルバー１７３Ａと、見出し語一覧エリア１７３Ｂと、プレビューエリア１７３Ｃとを含む。タイトルバー１７３Ａは、［辞書別へ］アイコン１７３Ａ１を含む。見出し語一覧エリア１７３Ｂは、検索対象文字列にヒットした通常辞書の辞書名と見出し語とをリストとして表示するエリアである。プレビューエリア１７３Ｃは、見出し語一覧エリア１７３Ｂにリスト表示された通常辞書の内、選択されたものの見出し語の説明情報の先頭部分を表示するエリアである。見出し語一覧エリア１７３Ｂにおいて、選択された通常辞書は反転表示などの指定表示ＨＬされる。なお、この例では、見出し語一覧エリア１７３Ｂとプレビューエリア１７３Ｃとを並べて表示する例を示しているが、それらをユーザ操作に応じて切り替え表示するような表示形態としても良い。
【００４６】
次に、ＣＰＵ２１は、ユーザＵのタッチ操作により、一括リスト表示画面１７３における［辞書別へ］アイコン１７３Ａ１が選択されたか否かにより、切替表示が指示されたか否かを判断する（ステップＳ２３）。切替表示が指示されたと判断した場合には（ステップＳ２３のＹＥＳ）、ＣＰＵ２１は、処理を後述するステップＳ２７に進める。
【００４７】
ここで、切替表示が指示されていないと判断した場合には（ステップＳ２３のＮＯ）、ＣＰＵ２１は、ユーザＵのタッチ操作により、あるいは、カーソルキー１４ｆの上下キーと［決定］キー１４ｄの操作によって、見出し語一覧エリア１７３Ｂの別のリスト項目、つまり別の辞書が選択されたか否かを判断する（ステップＳ２４）。項目選択がされていないと判断した場合には（ステップＳ２４のＮＯ）、ＣＰＵ２１は、処理を後述するステップＳ２６に進める。
【００４８】
見出し語一覧エリア１７３Ｂの別のリスト項目が選択されたと判断したならば（ステップＳ２４のＹＥＳ）、ＣＰＵ２１は、その選択された辞書の説明情報を記憶部２２の検索結果記憶部２２ｆから読み出して、プレビューエリア１７３Ｃに表示するべき画像データを作成し、表示データ記憶部２２ｅに書き込むことで、プレビューエリア１７３Ｃの表示を更新する（ステップＳ２５）。
【００４９】
なお、特に図示はしていないが、選択されている項目（辞書）に対して、ユーザＵのタッチ操作によって、あるいは、カーソルキー１４ｆの上下キーと［決定］キー１４ｄの操作によって、更に選択操作が行われると、ＣＰＵ２１は、図４Ａで説明したような説明情報表示画面１７１により、説明情報を全て閲覧できるように切り替える。
【００５０】
そして、ＣＰＵ２１は、処理を終了するか否かを判断する（ステップＳ２６）。例えば、ＣＰＵ２１は、選択されている項目（辞書）に対して更に選択操作が行われて説明情報を全て閲覧できるように切り替えるとき、当該電子辞書装置１０の電源オフ操作が有ったとき、キー入力部１４の機能指定キー１４ｂのユーザ操作が有ったとき、タッチキーエリア１７Ａのタッチ操作が有ったとき、などに終了すると判断する。未だ処理を終了しないと判断した場合には（ステップＳ２６のＮＯ）、ＣＰＵ２１は、処理を前記ステップＳ２３に戻す。また、終了すると判断した場合には（ステップＳ２６のＹＥＳ）、ＣＰＵ２１は、処理を後述するステップＳ３７に進める。
【００５１】
一方、前記ステップＳ１９において、前回選択ジャンプリスト情報が一括表示ではない、つまり辞書別表示であると判断した場合（ステップＳ１９のＮＯ）、あるいは、上記ステップＳ２３において、切替表示が指示されたと判断した場合には（ステップＳ２３のＹＥＳ）、ＣＰＵ２１は、前記検索対象文字列によって一つの通常辞書に対する検索が実行済みであるか否かを判断する（ステップＳ２７）。この判断は、記憶部２２の検索結果記憶部２２ｆの記憶内容やフラグの状態により判断することができる。ここで、既に一つの通常辞書の検索が実行済みであると判断したならば（ステップＳ２７のＹＥＳ）、ＣＰＵ２１は、処理を後述するステップＳ２９に進める。
【００５２】
未だ前記検索対象文字列によって一つの通常辞書の検索が行われていないと判断しならば（ステップＳ２７のＮＯ）、ＣＰＵ２１は、記憶部２２の通常辞書コンテンツデータ記憶部２２ｂに記憶されている複数の通常辞書の内、記憶部２２の前回選択辞書情報記憶部２２ｈに記憶されている前回選択辞書情報により示される一つの通常辞書から、検索対象文字列と一致する見出し語を検索し、検索された見出し語の説明情報を読み出して、記憶部２２の検索結果記憶部２２ｆに記憶する（ステップＳ２８）。なお、前回選択辞書情報は、当該電子辞書装置１０の工場出荷時のデフォルトとして、文字列の種別（日本語／英語）に応じて、通常辞書コンテンツデータ（国語系）２２ｂ１及び通常辞書コンテンツデータ（英語系）２２ｂ２の先頭の辞書（［国語辞書］、［英和辞書］）が前回選択辞書情報記憶部２２ｈに記憶されている。また、この一つの通常辞書に対する検索は、完全一致の他、原形検索など、様々な検索手法で実施される。
【００５３】
そして、ＣＰＵ２１は、検索結果記憶部２２ｆに記憶した検索結果に基づいて、その検索結果を表す一括リストの画像データを作成して、表示データ記憶部２２ｅに記憶させることで、図４Ｄに示すような辞書別リスト表示画面１７４を表示部１７のメイン画面エリア１７Ｂに表示させる（ステップＳ２９）。辞書別リスト表示画面１７４は、タイトルバー１７４Ａと、見出し語一覧エリア１７４Ｂと、プレビューエリア１７４Ｃとを含む。タイトルバー１７４Ａは、個別辞書の切り替え用のタブ１７４Ａ１と、［一括表示へ］アイコン１７４Ａ２とを含む。タブ１７４Ａ１の内、検索に使用された辞書は反転表示などの指定表示ＨＬされる。見出し語一覧エリア１７４Ｂは、検索対象文字列にヒットした見出し語をリストとして表示するエリアである。プレビューエリア１７４Ｃは、見出し語一覧エリア１７３Ｂにリスト表示された見出し語の内、選択されたものの説明情報の先頭部分を表示するエリアである。見出し語一覧エリア１７４Ｂにおいて、選択された見出し語は反転表示などの指定表示ＨＬされる。なお、この例では、見出し語一覧エリア１７４Ｂとプレビューエリア１７４Ｃとを並べて表示する例を示しているが、それらをユーザ操作に応じて切り替え表示するような表示形態としても良い。
【００５４】
次に、ＣＰＵ２１は、ユーザＵのタッチ操作により、辞書別リスト表示画面１７４における［一括表示へ］アイコン１７４Ａ２が選択されたか否かにより、切替表示が指示されたか否かを判断する（ステップＳ３０）。切替表示が指示されたと判断した場合には（ステップＳ３０のＹＥＳ）、ＣＰＵ２１は、処理を前述したステップＳ２０に戻す。これにより、図４Ｃに示したような一括リスト表示画面１７３を表示部１７のメイン画面エリア１７Ｂに表示させることができる。
【００５５】
また、切替表示が指示されていないと判断した場合には（ステップＳ３０のＮＯ）、ＣＰＵ２１は、ユーザＵのタッチ操作により、あるいは、カーソルキー１４ｆの上下キーと［決定］キー１４ｄの操作によって、見出し語一覧エリア１７４Ｂの別のリスト項目、つまり別の見出し語が選択されたか否かを判断する（ステップＳ３１）。項目選択がされていないと判断した場合には（ステップＳ３１のＮＯ）、ＣＰＵ２１は、処理を後述するステップＳ３３に進める。
【００５６】
見出し語一覧エリア１７４Ｂの別のリスト項目が選択されたと判断したならば（ステップＳ３１のＹＥＳ）、ＣＰＵ２１は、その選択された見出し語の説明情報を記憶部２２の検索結果記憶部２２ｆから読み出して、プレビューエリア１７４Ｃに表示するべき画像データを作成し、表示データ記憶部２２ｅに書き込むことで、プレビューエリア１７４Ｃの表示を更新する（ステップＳ３２）。
【００５７】
なお、特に図示はしていないが、選択されている項目（見出し語）に対して、ユーザＵのタッチ操作によって、あるいは、カーソルキー１４ｆの上下キーと［決定］キー１４ｄの操作によって、更に選択操作が行われると、ＣＰＵ２１は、図４Ａで説明したような説明情報表示画面１７１により、説明情報を全て閲覧できるように切り替える。
【００５８】
また、ＣＰＵ２１は、ユーザＵのタッチ操作により、あるいは、カーソルキー１４ｆの左右キーと［決定］キー１４ｄの操作によって、個別辞書の切り替え用のタブ１７４Ａ１が選択されたか否か、つまり、検索する辞書の切り替えが指示されたか否かを判断する（ステップＳ３３）。辞書切り替えが指示されていないと判断した場合には（ステップＳ３３のＮＯ）、ＣＰＵ２１は、処理を後述するステップＳ３５に進める。
【００５９】
これに対して、辞書切り替えが指示されたと判断した場合には（ステップＳ３３のＹＥＳ）、ＣＰＵ２１は、記憶部２２の通常辞書コンテンツデータ記憶部２２ｂに記憶されている複数の通常辞書の内、選択された一つの通常辞書から、検索対象文字列と一致する見出し語を検索し、検索結果を記憶部２２の検索結果記憶部２２ｆに記憶すると共に、その結果により、辞書別リスト表示画面１７４の表示内容を更新させる（ステップＳ３４）。
【００６０】
そして、ＣＰＵ２１は、切り替えた辞書を特定するための情報を、前回選択辞書情報として、記憶部２２の前回選択辞書情報記憶部２２ｈに保存する（ステップＳ３５）。
【００６１】
なお、こうして更新された辞書別リスト表示画面１７４においても、選択されている項目（見出し語）に対して、更に選択操作が行われると、説明情報表示画面１７１により、説明情報を全て閲覧できるように切り替えられることは言うまでもない。
【００６２】
また、前記ステップＳ３１及びステップＳ３２の処理と、前記ステップＳ３３及びステップＳ３４の処理とは、順番を入れ替えても構わない。
【００６３】
そして、ＣＰＵ２１は、処理を終了するか否かを判断する（ステップＳ３６）。未だ処理を終了しないと判断した場合には（ステップＳ３６のＮＯ）、ＣＰＵ２１は、処理を前記ステップＳ２７に戻す。また、終了すると判断した場合には（ステップＳ３６のＹＥＳ）、ＣＰＵ２１は、処理を後述するステップＳ３７に進める。
【００６４】
前記ステップＳ２６あるいは前記ステップＳ３６において、処理を終了すると判断した場合には（ステップＳ２６又はステップＳ３６のＹＥＳ）、ＣＰＵ２１は、現在のリスト表示が一括リスト表示画面１７３で行われているか、辞書別リスト表示画面１７４で行われているかにより、前回ジャンプリスト情報を一括表示または辞書別表示を示す前回ジャンプリスト情報を、記憶部２２の前回選択ジャンプリスト情報記憶部２２ｇに保存する（ステップＳ３７）。そして、ＣＰＵ２１は、この情報表示処理を終了する。キー入力部１４の機能指定キー１４ｂのユーザ操作に応じて辞書が選択されれば、また、この情報表示処理が実施されることになる。
【００６５】
なお、前記ステップＳ１１乃至ステップＳ１３では、検索した説明情報から任意の文字列を検索対象文字列とする場合を例に説明したが、検索対象文字列は、それに限るものではない。検索した説明情報とは異なるコンテンツが表示されている状態で文字列を選択して、検索対象文字列としても良いことは勿論である。
【００６６】
また、前記ステップＳ１８において、［見出し語］アイコン１７２Ｂ２が選択されていないと判断した場合（ステップＳ１８のＮＯ）、その他の処理が実行される。ここで、簡単に、その他の処理について説明する。
【００６７】
サブ画面１７２のメニュー選択エリア１７２Ｂの［候補］アイコン１７２Ｂ１が選択された場合には、ＣＰＵ２１は、前記検索対象文字列を変更して、前記簡易辞書を検索する。すなわち、前記ステップＳ１５では、前記ステップＳ１３においてユーザＵによって選択されたと判断した文字列を前記検索対象文字列の第１候補として前記簡易辞書を検索しているが、［候補］アイコン１７２Ｂ１が選択されたということは、この検索対象文字列がユーザ所望の文字列ではないということなので、検索対象文字列の次の候補による検索を実施する。例えば、選択されたと判断した文字列が「富士山」であり、［国語ミニ辞書］を検索するとした場合、前記検索対象文字列の第１候補は「富士山」であるとして検索が実施される。［候補］アイコン１７２Ｂ１が選択される毎に、第２候補である「富士」、第３候補である「富」を前記検索文字列として、検索が実施されることになる。したがって、初回は第１候補の検索対象文字列の簡易辞書検索結果がサブ画面１７２の簡易辞書エリア１７２Ａ内に表示され、この［候補］アイコン１７２Ｂ１をタッチ操作することにより、第２、第３候補の検索対象文字列の簡易辞書検索結果に、簡易辞書エリア１７２Ａの表示を切り替えることができる。
【００６８】
また、サブ画面１７２のメニュー選択エリア１７２Ｂの［例文］アイコン１７２Ｂ３が選択された場合には、ＣＰＵ２１は、記憶部２２の通常辞書コンテンツデータ記憶部２２ｂに記憶されている複数の通常辞書の内、先頭のまたは前回選択されていた一つの通常辞書から、前記検索対象文字列を含む例文を検索し、例文を一覧表示するための例文一覧画面を表示部１７のメイン画面エリア１７Ｂに表示させる。
【００６９】
同様に、サブ画面１７２のメニュー選択エリア１７２Ｂの［成句］アイコン１７２Ｂ４が選択された場合には、ＣＰＵ２１は、記憶部２２の通常辞書コンテンツデータ記憶部２２ｂに記憶されている複数の通常辞書の内、先頭のまたは前回選択されていた一つの通常辞書から、前記検索対象文字列を含む成句を検索し、成句を一覧表示するための成句一覧画面を表示部１７のメイン画面エリア１７Ｂに表示させる。
【００７０】
また、サブ画面１７２のメニュー選択エリア１７２Ｂの［音声］アイコン１７２Ｂ５が選択された場合には、ＣＰＵ２１は、前記説明情報表示画面１７１に表示されている説明文を、前記選択された文字列が先頭行になるまでスクロールさせた後に、前記ステップＳ１１で選択した通常辞書に含まれる、前記選択文字列にリンクした音声を、音声出力部１５に再生出力させる。またこのとき、ＣＰＵ２１は、前記説明情報表示画面１７１上に、音声モード用のメニュー選択画面を重畳表示させる。このメニュー選択画面には、再生を指示するための［聞く］アイコン、録音を指示するための［録音する］アイコン、音量を指示するための音量［−］及び［＋］アイコン、再生速度を指示するための再生速度［−］及び［＋］アイコン、聞き比べを指示するための［聞き比べ］アイコンなどを含む。［聞き比べ］アイコンは、最初は非アクティブ状態となっている。［録音する］アイコンが選択されると、ＣＰＵ２１は、その選択時点から音声入力部１６によって入力される音声を記憶部２２の図示しない音声記録エリアに録音する。この録音は、１分などの所定の録音時間が決まっていても良いし、［決定］キー１４ｄにより録音終了を指示できるようになっていても良い。また、録音が終了すると、ＣＰＵ２１は、メニュー選択画面の［聞き比べ］アイコンをアクティブ状態とし、この［聞き比べ］アイコンが選択されると、ＣＰＵ２１は、前記選択文字列にリンクした音声と録音した音声とを順に音声出力部１５に再生出力させる。
【００７１】
また、サブ画面１７２のメニュー選択エリア１７２Ｂの［マーカー］アイコン１７２Ｂ６が選択された場合には、ＣＰＵ２１は、前記説明情報表示画面１７１上に、マーカー選択画面を重畳表示させると共に、前記選択文字列に対してマーカーを重畳表示させる。マーカー選択画面は、例えば、赤青黄の３色のアイコンを含み、前記選択文字列に対しては最初の色である赤色のマーカーが付される。カーソルキー１４ｆの左右キー操作に応じて、ＣＰＵ２１は、マーカーの色を切り替えさせる。また、何れかの色のアイコンがタッチ操作により選択されると、ＣＰＵ２１は、マーカー単語帳画面を表示部１７のメイン画面エリア１７Ｂに表示させる。このマーカー単語帳画面は、マーカーが付された文字列を、記憶部２２の図示しない単語帳エリアに登録するためのものであり、例えば５０個といった所定数の登録エリアの内の何れに登録するかを選択する画面である。タッチ操作により登録先が選択されると、ＣＰＵ２１は、どの辞書のどの見出し語の説明情報の何れの文字にどのような色のマーカーが付されたかを記憶部２２の単語帳エリアに記憶すると共に、表示部１７の表示を前記説明情報表示画面１７１に戻す。このとき、前記選択文字列には、前記選択された色のマーカーが付されて表示される。なお、マーカーが付された文字列が選択された状態で［マーカー］アイコン１７２Ｂ６が再度選択された場合には、ＣＰＵ２１は、マーカー選択画面ではなくマーカー削除画面を前記説明情報表示画面１７１上に重畳表示させて、マーカーの削除を行えるようになっている。
【００７２】
また、サブ画面１７２のメニュー選択エリア１７２Ｂの［教科書体］アイコン１７２Ｂ７が選択された場合には、ＣＰＵ２１は、前記選択文字列の内の先頭の文字を、記憶部２２の図示しないフォント記憶部に記憶された教科書体フォントにより、ほぼメイン画面エリア１７Ｂ一杯のサイズにズーム表示させる。
【００７３】
また、サブ画面１７２のメニュー選択エリア１７２Ｂの［Ｘ］（閉じる）アイコン１７２Ｂ８が選択された場合には、ＣＰＵ２１は、サブ画面１７２の重畳表示を終了する。これは、［戻る］キー１４ｅが操作された場合と同様の処理である。
【００７４】
また、タッチキーエリア１７Ａの［機能メニュー］がタッチ操作された場合には、ＣＰＵ２１は、前記説明情報表示画面１７１上に、操作可能な機能を一覧表示する機能メニュー画面を重畳表示させる。この機能メニュー画面は、メニューアイコンとして、［設定］アイコン、［ガイド］アイコン、［文字サイズ］アイコン、［画面分割検索］アイコン、［学習帳］アイコン、［Ｘ］（閉じる）アイコンを含み得る。［機能メニュー］がタッチ操作されたときの状況において操作可能な機能のみがアクティブ表示される。
【００７５】
以上のように、本発明の実施形態に係る電子辞書装置１０によれば、ユーザＵは、タッチ操作のみでサブ画面１７２に表示される簡易的な詳細情報を閲覧できるため、単純な訳だけを知りたいときなど、知らない言葉の概要を複数のステップを踏むことなく、ワンタッチで知ることができる。
【００７６】
また、さらに詳細を検索したいときは、このサブ画面１７２からの操作で、検索することができる。この場合、一括リスト表示画面１７３により、複数の辞書から検索した見出し語を一括リストとして表示することで、直ぐに意味を知ることや、辞書を引き比べることが容易に行える。更に、辞書別リスト表示画面１７４への切り替えも容易に行え、辞書毎のリストに切り替えることで、例えば学校で指定された辞書といった特定の辞書しか使わない場合に対応したり、完全一致以外にも原形検索などの調べ方をしたりすることも可能となる。
【００７７】
また、サブ画面１７２からの操作で検索する場合、最初に一括リスト表示画面１７３と辞書別リスト表示画面１７４の何れを使用するのかを、前回どちらを使用したかの情報を前回選択ジャンプリスト情報記憶部２２ｇに記憶しておくことで、決定することができる。つまり、ユーザＵが選択操作すること無く、ユーザの利用状況に即したリスト表示画面が表示されるようになる。
【００７８】
なお、前記実施形態においては、文字列の指定に応じて、この文字列を見出し語とする簡易的な説明情報を簡易辞書から検索してサブ画面１７２の簡易辞書エリア１７２Ａに表示し、更にジャンプアイコンである［見出し語］アイコン１７２Ｂ２が操作された場合に、前記文字列を見出し語とする通常の説明情報を通常辞書データから検索してメイン画面内に表示するようにしたが、特にこの例には限定されない。
【００７９】
例えば、指定された文字列を見出し語とする例文や成句などの、見出し語に対応する説明情報以外の情報をサブ画面１７２に設けられた表示エリア（簡易辞書エリア１７２Ａ）に表示するようにしてもよい。
【００８０】
また、サブ画面１７２に設けられた表示エリア（簡易辞書エリア１７２Ａ）に簡易的な説明情報を表示し、この状態で更にジャンプアイコンである［例文］アイコン１７２Ｂ３や［成句］アイコン１７２Ｂ４が操作された場合に、上記文字列に関連する例文や成句を通常辞書から検索してメイン画面内に表示するようにしてもよく、メイン画面に表示する情報とサブ画面１７２内に設けられたエリアに表示する情報との組み合わせは自由である。
【００８１】
つまり、ユーザによる文字列の指定に応じて、それまでに表示されていたメイン画面の全体を書き換えることなく、一部の表示エリアを利用して何らかの先行表示情報を表示させることで、この先行表示情報を見たユーザが、この文字列に関連して更なる情報の検索や表示を行う必要があるか否かを判断し、更なる情報を表示させたい場合には、この先行表示情報とともに表示されているアイコン（更なる情報の検索や表示を指示するボタン）を操作することで、必要に応じて追加情報を表示させることができるようにすればよく、これにより、必要が無い場合には、余計な検索や表示を行わなくてもよいというメリットがある。
【００８２】
なお、前記実施形態において記載した電子辞書装置１０による各処理の手法、すなわち、図３Ａ及び図３Ｂのフローチャートに示す情報表示処理などの各手法は、何れもコンピュータに実行させることができるプログラムとして、メモリカード（ＲＯＭカード、ＲＡＭカードなど）、磁気ディスク（フロッピ（登録商標）ディスク、ハードディスクなど）、光ディスク（ＣＤ−ＲＯＭ、ＤＶＤなど）、半導体メモリなどの外部記録装置の媒体に格納して配布することができる。そして、表示機能を備えた電子辞書装置のコンピュータ（ＣＰＵ）は、この外部記録装置の媒体に記録されたプログラムを記憶装置に読み込み、この読み込んだプログラムによって動作が制御されることにより、前記実施形態において説明した制御機能を実現し、前述した手法による同様の処理を実行することができる。
【００８３】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを、表示機能を備えた電子辞書装置に取り込んで記憶装置に記憶させ、前述した制御機能を実現することもできる。
【００８４】
本発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８５】
以下に、本願出願の当初の特許請求の範囲に記載された発明を付記する。
【００８６】
［１］
文字情報を表示するためのメイン画面を表示する表示部と、
見出し語と当該見出し語に関する第１情報とを対応付けて集録した第１辞書データと、前記見出し語と同一の見出し語と当該見出し語に関する前記第１情報とは異なる第２情報とを対応付けて集録した第２辞書データと、を記憶する辞書記憶部と、
ユーザ操作に応じて検索対象文字列を指定する検索文字列指定手段と、
前記検索文字列指定手段によって前記検索対象文字列が指定されたとき、前記第１辞書データで検索された前記第１情報を表示するための第１エリアと、少なくとも前記第２辞書データからの検索を指定するためのアイコンであるジャンプアイコンを表示するための第２エリアと、を含むサブ画面を表示させるサブ画面表示手段と、
前記検索文字列指定手段によって前記検索対象文字列が指定されたとき、当該検索対象文字列に対応する見出し語を、前記第１辞書データの見出し語の中から検索し、当該検索された見出し語に対応する前記第１情報を、前記サブ画面の前記第１エリア内に表示させる第１表示制御手段と、
前記サブ画面の前記第２エリア内に表示した前記ジャンプアイコンに対してユーザの操作が行われたとき、前記検索文字列指定手段によって指定されている前記検索対象文字列に対応する見出し語を、前記第２辞書データの見出し語の中から検索し、当該検索された見出し語のリストまたは当該検索された見出し語に対応する前記第２情報を前記メイン画面内に表示させる第２表示制御手段と、
を備える電子辞書装置。
【００８７】
［２］
前記サブ画面表示手段は、前記サブ画面を、前記メイン画面上に重畳表示させる、
［１］に記載の電子辞書装置。
【００８８】
［３］
前記第２辞書データは、前記第２情報として、前記見出し語の説明情報を集録した通常辞書データであり、
前記第１辞書データは、前記第１情報として、前記見出し語の前記第２情報よりも簡約化した説明情報を集録した簡易辞書データであり、
前記辞書記憶部は、
前記第２辞書データに加えて、前記通常辞書データであって、前記第２辞書データとは異なる第３辞書データを含む複数の通常辞書データと、
前記第１辞書データを含む、前記複数の通常辞書データそれぞれに対応した複数の簡易辞書データと、
を記憶し、
前記第１表示制御手段は、前記検索文字列指定手段によって前記検索対象文字列が指定されたとき、当該検索対象文字列に対応する見出し語を、前記辞書記憶部に記憶された前記複数の簡易辞書データの内の一つの簡易辞書データの見出し語の中から検索し、当該検索された見出し語に対応する前記簡約化した説明情報を、前記サブ画面の前記第１エリア内に表示させ、
前記第２表示制御手段は、前記サブ画面の前記第２エリア内に表示した前記ジャンプアイコンに対して前記ユーザの操作が行われたとき、前記検索文字列指定手段によって指定されている前記検索対象文字列に対応する見出し語を、前記辞書記憶部に記憶された全ての通常辞書データの見出し語の中から検索し、当該検索された見出し語のリストまたは当該検索された見出し語に対応する前記説明情報を前記メイン画面内に表示させる、
［１］または［２］に記載の電子辞書装置。
【００８９】
［４］
前記表示部は、表示画面上にタッチパネルが配置され、
前記検索文字列指定手段は、前記メイン画面内に表示された文字情報の中から、ユーザのタッチ操作に応じて前記検索対象文字列を指定し、
前記第２表示制御手段は、前記ジャンプアイコンに対して前記ユーザのタッチ操作が行われたとき、前記検索文字列指定手段によって指定されている前記検索対象文字列に対応する見出し語を、前記第２辞書データの見出し語の中から検索し、当該検索された見出し語のリストまたは当該検索された見出し語に対応する前記第２情報を前記メイン画面内に表示させる、
［１］乃至［３］のいずれか一項に記載の電子辞書装置。
【００９０】
［５］
前記サブ画面の前記第２エリア内に表示した前記ジャンプアイコンに対して前記ユーザの操作が行われたとき、前記検索文字列指定手段によって指定されている前記検索対象文字列に対応する見出し語を、前記辞書記憶部に記憶された前記複数の通常辞書データの内の、一つの通常辞書データの見出し語の中から検索し、当該検索された見出し語のリストまたは当該検索された見出し語に対応する前記説明情報を前記メイン画面内に表示させる第３表示制御手段を更に備える、
［３］に記載の電子辞書装置。
【００９１】
［６］
前記第２表示制御手段は、
前記検索された見出し語のリストまたは当該検索された見出し語に対応する前記説明情報を表示した前記メイン画面に、前記第３表示制御手段による表示に切り替えるための切り替えアイコンを表示させ、
前記切り替えアイコンに対する前記ユーザの操作に応じて、前記第３表示制御手段に、前記検索文字列指定手段によって指定されている前記検索対象文字列に対応する見出し語を、前記一つの通常辞書データの見出し語の中から検索し、当該検索された見出し語のリストまたは当該検索された見出し語に対応する前記説明情報を前記メイン画面内に表示させる指示を行う、
［５］に記載の電子辞書装置。
【００９２】
［７］
前記第３表示制御手段は、
前記検索された見出し語のリストまたは当該検索された見出し語に対応する前記説明情報を表示した前記メイン画面に、前記第２表示制御手段による表示に切り替えるための切り替えアイコンを表示させ、
前記切り替えアイコンに対する前記ユーザの操作に応じて、前記第２表示制御手段に、前記検索文字列指定手段によって指定されている前記検索対象文字列に対応する見出し語を、前記全ての通常辞書データの見出し語の中から検索し、当該検索された見出し語のリストまたは当該検索された見出し語に対応する前記説明情報を前記メイン画面内に表示させる指示を行う、
［５］又は［６］に記載の電子辞書装置。
【００９３】
［８］
前記第２表示制御手段及び前記第３表示制御手段による検索結果を記憶する検索結果記憶手段を更に備え、
前記第２表示制御手段は、前記第３表示制御手段からの指示に応じて検索を実施する際、前記検索結果記憶手段に既に前記検索対象文字列による検索結果が記憶されているとき、その検索結果を用いて、検索された見出し語のリストまたは当該検索された見出し語に対応する前記説明情報を前記メイン画面内に表示させ、
前記第３表示制御手段は、前記第２表示制御手段からの指示に応じて検索を実施する際、前記検索結果記憶手段に既に前記検索対象文字列による検索結果が記憶されているとき、その検索結果を用いて、検索された見出し語のリストまたは当該検索された見出し語に対応する前記説明情報を前記メイン画面内に表示させる、
［７］に記載の電子辞書装置。
【００９４】
［９］
前記第２表示制御手段及び前記第３表示制御手段のいずれを最終的に使用したかを示す前回選択ジャンプリスト情報を記憶する前回選択ジャンプリスト報記憶手段と、
前記サブ画面の前記第２エリア内に表示した前記ジャンプアイコンに対して前記ユーザの操作が行われたとき、前記前回選択ジャンプリスト報記憶手段に記憶されている前記前回選択ジャンプリスト情報に基づいて、前記第２表示制御手段及び前記第３表示制御手段のいずれを使用するかを決定する決定手段と、
を更に備える、
［７］に記載の電子辞書装置。
【００９５】
［１０］
前記第３表示制御手段は、
前記一つの通常辞書データから検索された見出し語のリストまたは当該検索された見出し語に対応する前記説明情報を表示した前記メイン画面に、前記検索を行うべき一つの通常辞書データを選択するための複数の辞書名タブアイコンを表示させ、
前記複数の辞書名タブアイコンの一つに対する前記ユーザの選択操作に応じて、選択された辞書名タブアイコンに対応する一つの通常辞書データから前記見出し語を検索する、
［５］に記載の電子辞書装置。
【００９６】
［１１］
前記選択された辞書名タブアイコンに対応する一つの通常辞書データが何れであるかを示す前回選択辞書情報を記憶する前回選択辞書報記憶手段を更に備え、
前記第３表示制御手段は、前記ジャンプアイコンに対する前記ユーザの操作に応じた検索を前記一つの通常辞書データから行うとき、前記前回選択辞書情報で示される通常辞書データから前記見出し語を検索する、
［１０］に記載の電子辞書装置。
【００９７】
［１２］
前記第２辞書データは、前記第２情報として、前記見出し語の説明情報を集録した通常辞書データであり、
前記辞書記憶部は、前記第２辞書データに加えて、前記通常辞書データであって、前記第２辞書データとは異なる第３辞書データを含む複数の通常辞書データを記憶し、
前記電子辞書装置は、ユーザ操作に応じて入力された検索対象文字列に対応する見出し語を、前記辞書記憶部に記憶された前記複数の通常辞書データの内の、ユーザ操作に応じて指定された通常辞書データの見出し語の中から検索し、当該検索された見出し語に対応する説明情報を、前記メイン画面内に表示させる第４表示制御手段を更に備え、
前記第１表示制御手段は、前記ユーザ操作に応じて指定された通常辞書データに対応する簡易辞書データの見出し語の中から、前記検索対象文字列に対応する見出し語を検索する、
［１］に記載の電子辞書装置。
【００９８】
［１３］
文字情報を表示するためのメイン画面を表示する表示部と、見出し語と当該見出し語に関する第１情報とを対応付けて集録した第１辞書データと、前記見出し語と同一の見出し語と当該見出し語に関する前記第１情報とは異なる第２情報とを対応付けて集録した第２辞書データと、を記憶する辞書記憶部と、を備えた電子辞書の制御部により、
ユーザ操作に応じて検索対象文字列を指定し、
前記検索対象文字列が指定されたとき、前記第１辞書データで検索された前記第１情報を表示するための第１エリアと、少なくとも前記第２辞書データからの検索を指定するためのアイコンであるジャンプアイコンを表示するための第２エリアと、を含むサブ画面を表示させ、
前記検索対象文字列が指定されたとき、当該検索対象文字列に対応する見出し語を、前記第１辞書データの見出し語の中から検索し、当該検索された見出し語に対応する前記第１情報を、前記サブ画面の前記第１エリア内に表示させ、
前記サブ画面の前記第２エリア内に表示した前記ジャンプアイコンに対してユーザの操作が行われたとき、前記指定されている前記検索対象文字列に対応する見出し語を、前記第２辞書データの見出し語の中から検索し、当該検索された見出し語のリストまたは当該検索された見出し語に対応する前記第２情報を前記メイン画面内に表示させる、
電子辞書の検索方法。
【００９９】
［１４］
文字情報を表示するためのメイン画面を表示する表示部と、見出し語と当該見出し語に関する第１情報とを対応付けて集録した第１辞書データと、前記見出し語と同一の見出し語と当該見出し語に関する前記第１情報とは異なる第２情報とを対応付けて集録した第２辞書データと、を記憶する辞書記憶部と、を備えた電子辞書のコンピュータを、
ユーザ操作に応じて検索対象文字列を指定する検索文字列指定手段、
前記検索文字列指定手段によって前記検索対象文字列が指定されたとき、前記第１辞書データで検索された前記第１情報を表示するための第１エリアと、少なくとも前記第２辞書データからの検索を指定するためのアイコンであるジャンプアイコンを表示するための第２エリアと、を含むサブ画面を表示させるサブ画面表示手段、
前記検索文字列指定手段によって前記検索対象文字列が指定されたとき、当該検索対象文字列に対応する見出し語を、前記第１辞書データの見出し語の中から検索し、当該検索された見出し語に対応する前記第１情報を、前記サブ画面の前記第１エリア内に表示させる第１表示制御手段、
前記サブ画面の前記第２エリア内に表示した前記ジャンプアイコンに対してユーザの操作が行われたとき、前記検索文字列指定手段によって指定されている前記検索対象文字列に対応する見出し語を、前記第２辞書データの見出し語の中から検索し、当該検索された見出し語のリストまたは当該検索された見出し語に対応する前記第２情報を前記メイン画面内に表示させる第２表示制御手段、
として機能させるためのコンピュータ読み込み可能な制御プログラム。
【符号の説明】
【０１００】
１０…電子辞書装置
１４…キー入力部
１４ａ…［ホーム］キー
１４ｂ…機能指定キー
１４ｃ…文字入力キー
１４ｄ…［決定］キー
１４ｅ…［戻る］キー
１４ｆ…カーソルキー
１４ｇ…［シフト］キー
１５…音声出力部
１６…音声入力部
１７…表示部
１７Ａ…タッチキーエリア
１７Ｂ…メイン画面エリア
１７１…説明情報表示画面
１７２…サブ画面
１７２Ａ…簡易辞書エリア
１７２Ｂ…メニュー選択エリア
１７２Ｂ１…［候補］アイコン
１７２Ｂ２…［見出し語］アイコン
１７２Ｂ３…［例文］アイコン
１７２Ｂ４…［成句］アイコン
１７２Ｂ５…［音声］アイコン
１７２Ｂ６…［マーカー］アイコン
１７２Ｂ７…［教科書体］アイコン
１７２Ｂ８…［Ｘ］（閉じる）アイコン
１７３…一括リスト表示画面
１７３Ａ…タイトルバー
１７３Ａ１…［辞書別へ］アイコン
１７３Ｂ…見出し語一覧エリア
１７３Ｃ，１７４Ｃ…プレビューエリア
１７４…辞書別リスト表示画面
１７４Ａ…タイトルバー
１７４Ａ１…タブ
１７４Ａ２…［一括表示へ］アイコン
１７４Ｂ…見出し語一覧エリア
２１…ＣＰＵ
２２…記憶部
２２ａ…制御プログラム記憶部
２２ｂ…通常辞書コンテンツデータ記憶部
２２ｂ１…通常辞書コンテンツデータ（国語系）
２２ｂ２…通常辞書コンテンツデータ（英語系）
２２ｃ…簡易辞書コンテンツデータ記憶部
２２ｃ１…簡易辞書コンテンツデータ（国語系）
２２ｃ２…簡易辞書コンテンツデータ（英語系）
２２ｄ…ツールデータ記憶部
２２ｅ…表示データ記憶部
２２ｆ…検索結果記憶部
２２ｇ…前回選択ジャンプリスト情報記憶部
２２ｈ…前回選択辞書情報記憶部
ＨＬ…指定表示
Ｕ…ユーザ
【図１】
2020057213.tif 000003
【図２】
2020057213.tif 000004
【図３Ａ】
2020057213.tif 000005
【図３Ｂ】
2020057213.tif 000006
【図４Ａ】
2020057213.tif 000007
【図４Ｂ】
2020057213.tif 000008
【図４Ｃ】
2020057213.tif 000009
【図４Ｄ】
2020057213.tif 000010